(57)【要約】【課題】洋風便器の後部上面に大きな不陸があっても、便座ボックスやロータンクカバー等の便座支持部材を、便座支持部材に局部的な応力やガタツキを生じさせたりすることなく据え付けることができる洋風便器設備を提供する。【解決手段】ベースプレート１０の下面の四隅付近に、それぞれ、このベースプレート１０の水平出し用のアジャスタボルト１１が上下方向に螺進可能に設けられている。便座ボックス３０の下面には、ベースプレート１０が嵌合可能な凹所３３が設けられている。凹所３３は便座ボックス３０の後面に臨んでいる。ベースプレート１０を洋風便器１の後部上面２上に配置した後、各アジャスタボルト１１の高さ調節を行って該ベースプレート１０を水平出しする。その後、便座ボックス３０をベースプレート１０の前方から後方へスライドさせ、該ベースプレート１０を凹所３３に嵌合させる。【選択図】図２
2009077928.tif 000002
【特許請求の範囲】
【請求項１】
洋風便器の後部上面にベースプレートを固定し、該ベースプレートに対し便座支持部材を取り付けた洋風便器設備において、
該ベースプレートに、水平出しするためのレベル調節体を設けたことを特徴とする洋風便器設備。
【請求項２】
請求項１において、前記レベル調節体は、上下方向に螺進可能なアジャスタボルトであることを特徴とする洋風便器設備。
【請求項３】
請求項１又は２において、前記便座支持部材は便座ボックスであり、
該便座ボックスの底面には、前記ベースプレートが嵌合した凹所が便座ボックス後縁に臨んで設けられており、
該ベースプレートの左右の側面の上位側に、前後方向に延在した凸条が設けられており、
前記凹所の左右の側面には、該凸条に対し下側から係合した係合部が設けられていることを特徴とする洋風便器設備。
【請求項４】
洋風便器の後部上面に固定されるベースプレートと、該ベースプレートに対し取り付けられる便座支持部材とからなる便座支持部材ユニットにおいて、
該ベースプレートに、水平出し用のレベル調節体が設けられていることを特徴とする便座支持部材ユニット。
【発明の詳細な説明】
【技術分野】
【０００１】
本発明は、洋風便器の後部上面にベースプレートを介して便座ボックス等の便座支持部材を取り付けた洋風便器設備に関する。また、本発明は、便座支持部材とその取付用のベースプレートとからなる便座支持部材ユニットに関する。
【背景技術】
【０００２】
洋風便器の後部上面に便座ボックスを取り付ける場合、通常はボルトによって便座ボックスを洋風便器に対し直に取り付けている（例えば特開２００１−７０１９９）。
【０００３】
一方、特開２００１−３１４３５３には、洋風便器の後部上面に鉄板をボルトによって固定し、この鉄板に対し便座ボックスを磁力によって固定することが記載されている。
【０００４】
また、特開平１１−６１９３５には、洋風便器の後部上面に板状の支承材をボルトによって固定し、この支承材の上にカバーボックス（ロータンクカバー）を載設すると共に、凹凸嵌合又はビス留めにより両者を連結することが記載されている。
【特許文献１】特開２００１−７０１９９
【特許文献２】特開２００１−３１４３５３
【特許文献３】特開平１１−６１９３５
【発明の開示】
【発明が解決しようとする課題】
【０００５】
洋風便器の後部上面に便座ボックスをボルトで直に固定する場合、洋風便器の後部上面に不陸があると、便座ボックスの底面に局部的に大きな応力が生じ、割れや軋みの原因になることがある。
【０００６】
なお、通常の場合、洋風便器は陶器製であり、後部上面に不陸が生じ易い。また、便座ボックスは合成樹脂製であり、応力によって割れや軋みが生じ易い。
【０００７】
上記特開２００１−３１４３５３、特開平１１−６１９３５のように、洋風便器の後部上面にベースプレートをボルトによって固定し、このベースプレートに対し便座ボックス又はロータンクカバーを取り付ける場合、洋風便器の不陸に起因してベースプレートに反りが生じた場合、便座ボックス又はロータンクカバーにも局部的な応力が生じたり、ベースプレートの反りが大きいときには、便座ボックス又はロータンクカバーにガタツキが生じたりするおそれがある。
【０００８】
本発明は、上記従来の問題点を解消し、洋風便器の後部上面に大きな不陸があっても、便座ボックスやロータンクカバー等の便座支持部材を、便座支持部材に局部的な応力やガタツキを生じさせたりすることなく据え付けることができる洋風便器設備を提供することを目的とする。
【課題を解決するための手段】
【０００９】
請求項１の洋風便器設備は、洋風便器の後部上面にベースプレートを固定し、該ベースプレートに対し便座支持部材を取り付けた洋風便器設備において、該ベースプレートに、水平出しするためのレベル調節体を設けたことを特徴とするものである。
【００１０】
請求項２の洋風便器設備は、請求項１において、前記レベル調節体は、上下方向に螺進可能なアジャスタボルトであることを特徴とするものである。
【００１１】
請求項３の洋風便器設備は、請求項１又は２において、前記便座支持部材は便座ボックスであり、該便座ボックスの底面には、前記ベースプレートが嵌合した凹所が便座ボックス後縁に臨んで設けられており、該ベースプレートの左右の側面の上位側に、前後方向に延在した凸条が設けられており、前記凹所の左右の側面には、該凸条に対し下側から係合した係合部が設けられていることを特徴とするものである。
【００１２】
請求項４の便座支持部材ユニットは、洋風便器の後部上面に固定されるベースプレートと、該ベースプレートに対し取り付けられる便座支持部材とからなる便座支持部材ユニットにおいて、該ベースプレートに、水平出し用のレベル調節体が設けられていることを特徴とするものである。
【発明の効果】
【００１３】
本発明の洋風便器設備及び便座支持部材ユニットにあっては、ベースプレートにレベル調節体が設けられているので、洋風便器の後部上面に大きな不陸が存在していても、ベースプレートを、反り等の変形を生じさせることなく水平に設置することができる。従って、このベースプレートの上側に配置される便座支持部材に対し局部的に大きな応力が加えられたり、ガタツキが生じたりすることが防止される。
【００１４】
このレベル調節体としては、請求項２の通り、アジャスタボルトが、安価で且つレベルの微調節が容易であり、好適である。
【００１５】
なお、請求項３の構成によると、ベースプレートを洋風便器の後部上面に固定した後、便座支持部材をベースプレートに対しベースプレート前方からスライドさせて取り付けることができる。
【発明を実施するための最良の形態】
【００１６】
以下に、図面を参照して本発明の実施の形態について説明する。
【００１７】
第１図は実施の形態に係る洋風便器設備の分解斜視図、第２図は便座支持部材としての便座ボックスとベースプレートとの分解斜視図、第３図はこの便座ボックスの斜視図、第４図はベースプレートの斜視図、第５，６図はこのベースプレートの分解斜視図、第７図はこのベースプレートの縦断面図である。
【００１８】
なお、第１図は洋風便器を斜め前方から見た図であり、第２図は洋風便器を斜め後方から見た図である。また、第３〜５図は、それぞれ、便座ボックス及びベースプレートを斜め下方から見た図であり、第６図は該ベースプレートを斜め上方から見た図である。
【００１９】
以下の説明において、前後方向及び左右方向は、洋風便器の便座に座った者にとっての前後方向及び左右方向と合致する。
【００２０】
第１図に示すように、この洋風便器設備は、洋風便器１の後部上面２上に固定されるベースプレート１０と、該ベースプレート１０に対し取り付けられる、便座支持部材としての便座ボックス３０とを備えている。この実施の形態では、該ベースプレート１０及び便座ボックス３０により便座支持部材ユニットが構成されている。
【００２１】
洋風便器１の後部上面２には、ベースプレート１０を固定するためのアンカボルト３が挿通されるボルト挿通孔４が設けられている。このボルト挿通孔４は、該洋風便器１の後部を上下方向に貫通している。この実施の形態では、該後部上面２に左右方向に位置を異ならせて２個のボルト挿通孔４が設けられている。
【００２２】
ベースプレート１０は、この実施の形態では、略長方形の平面視形状を有している。このベースプレート１０は、その長手方向を左右方向として洋風便器１の後部上面２上に配置される。このベースプレート１０の下面の四隅付近に、それぞれ、このベースプレート１０の水平出しを行なうためのレベル調節体としてのアジャスタボルト１１が上下方向に螺進可能に設けられている。
【００２３】
この実施の形態では、該アジャスタボルト１１は、洋風便器１の後部上面２に重なる略円盤形の足片１１ａと、該足片１１ａの上面の中央から上方へ立設されたボルト軸部１１ｂとを有している。符号１１ｃは、該足片１１ａの下面に設けられた、ゴムシート等よりなる滑り止めを示している。この実施の形態では、該ボルト軸部１１ａの上端面に、後述のマイナスドライバＤを係合させるための、すり割状の凹溝１１ｄが形成されている。
【００２４】
第４，５図に示すように、この実施の形態では、ベースプレート１０の下面に、上方へ凹陥した凹部１２が形成されている。この凹部１２は、該ベースプレート１０と略相似形の平面視形状を有しており、該ベースプレート１０の下面側は、その周縁近傍まで凹部１２となっている。この凹部１２の四隅付近に、それぞれ、アジャスタボルト１１のボルト軸部１１ｂが上下方向に螺進可能に螺合した雌ねじ孔１３が設けられている。
【００２５】
第５，６図に示すように、各雌ねじ孔１３は、ベースプレート１０の上面にまで貫通している。即ち、この実施の形態では、第６図の通り、ベースプレート１０の上方から各雌ねじ孔１３にマイナスドライバＤを差し込み、このマイナスドライバＤを各ボルト軸部１１ｂの上面の凹溝１１ｄに係合させることができるようになっている。
【００２６】
なお、各アジャスタボルト１１は、ボルト軸部１１ｂが根元（下端）まで雌ねじ孔１３にねじ込まれた状態にあっては、各アジャスタボルト１１の足片１１ａの全体が凹部１２内に収容され、これによりベースプレート１０の下面から非突出となる。
【００２７】
各雌ねじ孔１３よりもベースプレート１０の中央側には、該ベースプレート１０の長手方向に間隔をおいて２個のボルト挿通孔１４が設けられている。各ボルト挿通孔１４にそれぞれ前記アンカボルト３が挿通される。これらのボルト挿通孔１４は、ベースプレート１０を洋風便器１の後部上面２上に配置したときに該後部上面２の各ボルト挿通孔４と重なり合う位置関係にて配置されている。
【００２８】
第６図の通り、各アンカボルト３は、ボルト軸部３ａと、該ボルト軸部３ａの上端に形成された、該ボルト軸部３ａから側方へ張り出す略方形鍔状のボルト頭部３ｂとを有している。この実施の形態では、第６図の通り、各ボルト挿通孔１４の周縁部には、ベースプレート１０の上方から該アンカボルト３のボルト頭部３ｂが係合可能な略方形の凹部１５が形成されている。ベースプレート１０の上方から各アンカボルト３のボルト軸部３ａを各ボルト挿通孔１４に挿通し、そのボルト頭部３ｂを該凹部１５に係合させることにより、該ボルト軸部３ａに後述のナット７を締め込んだときにアンカボルト３がナット７と共回りすることが防止される。
【００２９】
ベースプレート１０の左右の側面には、それぞれ、前後方向に延在した凸条１６が設けられている。この実施の形態では、各凸条１６は、ベースプレート１０の側面の上縁に沿って延設されており、その上面はベースプレート１０の上面と略面一状となっている。各凸条１６の上下方向の厚みはベースプレート１０の厚みよりも小さい。各凸条１６は、ベースプレート１０の左右の側面の前端から後端まで延在している。
【００３０】
この実施の形態では、第４図に示すように、各凸条１６の下側のベースプレート１０の各側面に、それぞれ、便座ボックス３０を係止するためのロックスプリング１７が設けられている。該ロックスプリング１７は、この実施の形態では、板バネを略Ω字形に曲成し、その長手方向の中間部をベースプレート１０の各側面から側方へ突出させたものである。該ロックスプリング１７は、側方から押されると、ベースプレート１０の各側面から弾性的に該ベースプレート１０の左右方向中央側に後退しうるように構成されている。なお、ロックスプリング１７の構成及び配置はこれに限定されない。また、このロックスプリング１７以外の便座ボックス係止機構が設けられてもよい。
【００３１】
前記便座ボックス３０は、内部に温水洗浄ノズル等の各種トイレ機器（図示略）を収容したものである。また、この便座ボックス３０の前面側には、便座３１及び便蓋３２が上下方向に回動可能に取り付けられている。
【００３２】
この実施の形態では、該便座ボックス３０の下面に、ベースプレート１０が嵌合可能な凹所３３が設けられている。第２，３図の通り、この凹所３３は便座ボックス３０の後面に臨んでおり、該便座ボックス３０の後方からベースプレート１０が該凹所３３内に進入しうるようになっている。
【００３３】
この凹所３３の左右の側面の下縁側からは、それぞれ、ベースプレート１０を凹所３３内に嵌合させたときに該ベースプレート１０の左右の凸条１６に対し下側から係合しうる棚状の係合部３４が突設されている。なお、第２図の通り、この係合部３４と凹所３３の上面との間の間隙も、便座ボックス３０の後面に連通している。各係合部３４の下面は、該便座ボックス３０の下面と面一となっている。
【００３４】
各係合部３４の張出方向先端側の側面には、ベースプレート１０の各側面のロックスプリング１７が係合可能な凹部よりなる係止部３５（第３図）が形成されている。
【００３５】
次に、このように構成されたベースプレート１０及び便座ボックス３０よりなる便座支持部材ユニットの洋風便器１への設置手順の一例について説明する。
【００３６】
まず、予め、ベースプレート１０の上方から各ボルト挿通孔１４に各アンカボルト３を挿通し、各アンカボルト３のボルト頭部３ｂを各凹部１５に係合させておく。
【００３７】
次いで、各アンカボルト３を洋風便器１の各ボルト挿通孔４に挿通しつつベースプレート１０を該洋風便器１の後部上面２上に配置する。そして、各アンカボルト３のボルト軸部３ａに、洋風便器１の後部の下側から半球パッキン５、スリップワッシャ６を介してナット７を装着する。
【００３８】
次に、ベースプレート１０の上面にレベルゲージ（図示略）を載せ、該ベースプレート１０の上方から各雌ねじ孔１３を介してマイナスドライバＤで各アジャスタボルト１１の高さ調節を行い、該ベースプレート１０を水平出しする。即ち、第６図のように、ベースプレート１０の上方から各雌ねじ孔１３にマイナスドライバＤを差し込み、このマイナスドライバＤを各アジャスタボルト１１のボルト軸部１１ｂの上面の凹溝１１ｄに係合させ、必要に応じてこのマイナスドライバＤでボルト軸部１１ｂを左右に回転させて該ボルト軸部１１ｂを上下方向へ螺進させることにより、各アジャスタボルト１１の高さを調節する。
【００３９】
このベースプレート１０の水平出しが完了した後、ナット７を締め込んで該ベースプレート１０を洋風便器１に固定する。
【００４０】
次に、第２図のように、ベースプレート１０の前方において便座ボックス３０を洋風便器１上に載せ、該便座ボックス３０を後方へスライドさせて該便座ボックス３０の凹所３３にベースプレート１０を入り込ませる。この際、該ベースプレート１０の左右の各凸条１６の下側にそれぞれ便座ボックス３０の各係合部３４が係合する。また、便座ボックス３０を所定位置まで後方へスライドさせると、ベースプレート１０の各側面のロックスプリング１７が便座ボックス３０の各係止部３５に係合し、これによりベースプレート１０が凹所３３から抜け止めされる。
【００４１】
この結果、便座ボックス３０がベースプレート１０を介して洋風便器１の後部上面２上に固定され、該便座ボックス３０の設置が完了する。
【００４２】
なお、上記の設置手順はあくまで一例であり、上記以外の手順により便座ボックス３０がベースプレート１０を介して洋風便器１の後部上面２に設置されてもよい。
【００４３】
以上の通り、このベースプレート１０及び便座ボックス３０よりなる便座支持部材ユニットを備えた洋風便器設備にあっては、ベースプレート１０にレベル調節用のアジャスタボルト１１が設けられているので、洋風便器１の後部上面２に大きな不陸が存在していても、ベースプレート１０を水平に設置することができる。従って、このベースプレート１０の上側に配置される便座ボックス３０に対し局部的に大きな応力が加えられたり、ガタツキが生じたりすることが防止される。
【００４４】
この実施の形態では、ベースプレート１０の上方からマイナスドライバＤによって各アジャスタボルト１１の高さを調節することができるので、ベースプレート１０の水平出し作業を容易に行うことができる。
【００４５】
また、この実施の形態では、上記のように、ベースプレート１０を洋風便器１の後部上面２に固定した後、便座ボックス３０をベースプレート１０に対しベースプレート１０前方からスライドさせて取り付けることができるので、便座ボックス３０のベースプレート１０への取付作業が容易である。
【００４６】
上記の実施の形態は本発明の一例を示すものであり、本発明は図示の構成に限定されない。
【００４７】
例えば、ベースプレートの水平出し用のレベル調節体は、アジャスタボルトに限定されるものではない。図示は省略するが、例えばベースプレートから下方へ向って伸長可能な脚と、該脚の下方への伸長は許容するが、該脚の上方への後退は阻止するラチェット機構とにより、レベル調節体が構成されてもよい。
【００４８】
上記の実施の形態では、便座支持部材として便座ボックス３０が設けられているが、便座支持部材はロータンクカバー等であってもよい。
【図面の簡単な説明】
【００４９】
【図１】実施の形態に係る洋風便器設備の分解斜視図である。
【図２】便座支持部材としての便座ボックスとベースプレートとの分解斜視図である。
【図３】便座ボックスの斜視図である。
【図４】ベースプレートの斜視図である。
【図５】ベースプレートの分解斜視図である。
【図６】ベースプレートの分解斜視図である。
【図７】ベースプレートの縦断面図である。
【符号の説明】
【００５０】
１  洋風便器
２  洋風便器の後部上面
３  アンカボルト
４  ボルト挿通孔
７  ナット
１０  ベースプレート
１１  レベル調節体としてのアジャスタボルト
１３  雌ねじ孔
１４  ボルト挿通孔
１５  凹部
１６  凸条
３０  便座支持部材としての便座ボックス
３３  凹所
３４  係合部
【図１】
2009077928.tif 000003
【図２】
2009077928.tif 000004
【図３】
2009077928.tif 000005
【図４】
2009077928.tif 000006
【図５】
2009077928.tif 000007
【図６】
2009077928.tif 000008
【図７】
2009077928.tif 000009